(57)【要約】  本発明は改良された折り畳み可能で持ち運び可能なディスプレイ機器を提供する。改良された折り畳み可能で持ち運び可能なディスプレイ機器は、筐体であって前記筐体の外側に整列され前記筐体の前記外側を二つの動作位置の間においてスライドする摺動部材を持つ筐体と、延ばされた動作位置において画像を表示することが可能な折り畳み可能な画面と、前記画面に接続され、そして前記摺動部材と前記筐体に接続された複数の折り畳み可能部材とを持ち、前記摺動部材が第一の折り畳み動作位置と第二のポップアップ位置の間を動くに従って折り畳み可能部材は前記画面を前記折り畳み動作位置及び前記延ばされた動作位置の間を動く。【選択図】図１
2018534636.tif 000002
【特許請求の範囲】
【請求項１】
筐体であって、前記筐体の外側に整列され前記筐体の前記外側を二つの動作位置の間においてスライドする摺動部材を持つ、筐体と、
拡張されポップアップされた動作位置にあるときに画像を表示することが可能な折り畳み可能な画面と、
部分的な拡張のための機械的エネルギー蓄積部材を含み、前記画面に接続され、前記摺動部材及び前記筐体に回転可能に接続され、そして前記摺動部材が前記筐体の前記外側を第一の折り畳まれた位置と第二のポップアップ位置の間をスライド可能に動くように前記画面を折り畳まれた位置と拡張されたポップアップ位置との間を動かすための複数の折り畳み可能部材と
を含む、改良された折り畳み可能で持ち運び可能なディスプレイ機器。
【請求項２】
前記画面を前記ポップアップ位置へ伸張するために前記画面の端に組み込まれた折り畳み可能な枠組み部材をさらに含む、請求項１に記載の機器。
【請求項３】
前記画面は折り畳まれた状態にあるとき、前記筐体及び前記折り畳み可能部材を内包する、請求項１に記載の機器。
【請求項４】
前記筐体は持ち運び可能なプロジェクタを収容するための開口部をさらに含む、請求項１に記載の機器。
【請求項５】
前記画面と前記筐体に接続し、前記画面が拡張済の動作位置にあるときに外部からの光を前記画面から遮るためのシュラウドを更に含む、請求項１に記載の機器。
【請求項６】
前記折り畳み可能部材は、それぞれ、前記筐体上の前記摺動部材の位置の機能として折り畳み延ばすための互いに接続された複数の支柱を含み、各支柱の一部分は機械的収納機構により延ばされた位置に配される、請求項１に記載の機器。
【請求項７】
前記折り畳み可能画面を取り外すことができる、請求項１に記載の機器。
【請求項８】
筐体部材と、
レンズ組立体を持ち、前記筐体部材内に動作可能なように配置され、第二のレンズ組立体が前記筐体部材内に動作可能なように配置され、エレクトロニクス・アセンブリが前記筐体内に配置されるプロジェクタ部材と、
前記筐体の外側の周囲に配置され前記筐体部材の外側の二つの位置の間を移動可能である可動部材と、
半透明の画面部材と、
それぞれが前記画面部材を折り畳まれた位置と延ばされた動作位置の間で動かすための少なくとも二つの主支柱部材を持つ、区分に分かれた少なくとも４つのアーム部材と、
前記筐体に回転可能に接続された前記各４本のアーム部材の各第一の主支柱と、
対応する第一の支柱へ回転可能に接続され前記可動部材へ回転可能に接続された各４本のアーム部材の各第二の短い主支柱と、
機械的収納部材により展開され前記画面部材に接続された最終の主支柱部材を持つ各アーム部材と、
前記筐体及び前記画面部材に接続されたシュラウド部材とを含む、折り畳み可能なディスプレイ機器。
【請求項９】
前記機器が折り畳み動作位置にあるときに前記機器の全ての部材を収容する保護カバー部材をさらに含む、請求項８に記載の機器。
【請求項１０】
筐体部材と、
前記筐体の外側の周囲に配置され前記筐体部材の外側の二つの動作位置の間を移動可能な可動部材と、
画面部材と、
複数のアーム部材を含み、各アーム部材は
前記本体の筐体へ回転可能に取り付けられた第一の支柱と、
前記第一の支柱へ前記第一の支柱の約半分の位置へ回転可能に接続され、前記可動部材へ回転可能に接続された第二の支柱と、
前記第二の支柱へ回転可能に接続された第三の支柱と、
前記第三の支柱へ一端が回転可能に接続され、前記第三の支柱への回転可能な接続から間隔を空けて前記第一の支柱へ回転可能に接続され、反対側の端が第五の支柱へ回転可能に接続された第四の支柱と、
前記第五の支柱は前記第四の支柱への前記接続と反対の端が前記画面の一つの角へ取り外し可能に接続され、前記第五の支柱は前記第四の支柱へ、前記第五と第四の支柱への回転可能な接続から間隔を空けた位置において回転可能に接続されたスプリング部材へ接続され、
前記筐体に接続され、そして前記画面部材に取り外し可能に接続されたシュラウド部材とを含む、折り畳み可能で持ち運び可能なディスプレイ機器。
【請求項１１】
前記機器が折り畳み動作位置にあるときに前記機器の全ての部材を収容する保護カバー部材をさらに含む、請求項１０に記載の機器。
【請求項１２】
前記筐体部材はレンズ組立体を含むプロジェクタ部材を収容するための開口部を有する、請求項１０に記載の機器。
【請求項１３】
前記可動部材は、ラッチ機構によって解放されたときに前記画面を完全に延ばされた動作位置へ展開するように荷重がかけられたスプリングである、請求項１、８又は１０のいずれか１項に記載の機器。
【請求項１４】
前記筐体部材は広角コンバーターレンズを収容するよう構成された、請求項１２に記載の機器。
【請求項１５】
前記画面部材はタッチスクリーンになるよう構成された、請求項１、８又は１０のいずれか１項に記載の機器。
【請求項１６】
前記画面部材は組み込まれた粒子を含む弾性または可撓性材料から成る、請求項１、８又は１０のいずれか１項に記載の機器。
【請求項１７】
前記画面部材は組み込まれた粒子を含む弾性または可撓性材料から成り、適切に伸張されたときに凹状の縁を持つ、請求項１、８又は１０のいずれか１項に記載の機器。
【請求項１８】
前記画面部材はさらに色付き粒子、色付きペースト又は染料のうち一つ以上を含む、請求項１５に記載の機器。
【請求項１９】
組み込まれた粒子を含む弾性または可撓性材料から成る、持ち運び可能であり折り畳み可能な画面。
【請求項２０】
前記画面は展開されたときに前記画面は凹状の縁を持つ、請求項１９に記載の持ち運び可能であり折り畳み可能な画面。
【請求項２１】
前記微粒子は前記画面材料の屈折率と異なる屈折率を持つ、請求項１９に記載の持ち運び可能であり折り畳み可能な画面。
【請求項２２】
前記画面はさらに色付き粒子、色付きペースト又は染料のうち一つ以上を含む、請求項１９、２０又は２１のいずれか１項に記載の持ち運び可能であり折り畳み可能な画面。
【請求項２３】
筐体であって、前記筐体の外側に整列され前記筐体部材の外側を二つの位置の間においてスライドするための摺動部材を持つ、筐体と、
延ばされた動作位置にあるときに画像を表示するための折り畳み可能な画面と、
複数の折り畳み可能部材であって、それぞれが当該部材の一部分の部分的拡張のための機械的エネルギー蓄積部材を含み、前記画面に接続され、前記筐体部材の前記外側における前記摺動部材の位置の機能として前記画面を折り畳まれ延ばされた動作位置間で動かすために前記摺動部材と前記筐体部材の両方に動作可能に接続された、複数の折り畳み可能部材と
を含む、改良された折り畳み可能であり持ち運び可能なディスプレイ機器。
【請求項２４】
前記画面部材はさらに色付き粒子、色付きペースト又は染料のうち一つ以上を含む、請求項１６に記載の機器。
【請求項２５】
前記画面部材はさらに色付き粒子、色付きペースト又は染料のうち一つ以上を含む、請求項１７に記載の機器。
【発明の詳細な説明】
【技術分野】
【０００１】
本出願は米国特許法第１１９条（ａ）（１）に基づき、２０１５年１０月２１日に出願された米国仮出願第６２／２４４，２９８号及び２０１６年４月３日に出願された米国仮出願第６２／３１７，５５２号の優先権を主張する。
【０００２】
本発明は、持ち運び可能であり折り畳み可能なディスプレイ機器に関する。
【背景技術】
【０００３】
会議場、家、ホテル、オフィスや他の場所にて情報を表示するために様々なサイズや構成のディスプレイが使用されている。そのようなディスプレイは持ち運び可能であったり、又は会議場のように室内に作りつけられたりし得る。加えて、より多い聴衆に向けてはプロジェクションテレビやその他のプロジェクタが使用される。情報を表示するためのその他の小さいプロジェクタシステムも存在する。
【発明の概要】
【０００４】
本発明は折り畳み可能なディスプレイ機器であり、機器はコンパクトで携帯可能な形にて収納でき、使用時は大画面を提供するようポップアップする。機器は任意に組み込みプロジェクタを含んでもよい。ＳＰＵＤ（自発的ポップアップディスプレイ、Ｓｐｏｎｔａｎｅｏｕｓ  Ｐｏｐ−Ｕｐ  Ｄｉｓｐｌａｙ）の発明は複数の実施形態を持つ。
【０００５】
本発明のこれら及び他の特徴は添付図面を用いて後述する本発明の詳細な説明により当業者にとって明らかになる。
【図面の簡単な説明】
【０００６】
【図１】図１は完全に延ばされた動作位置にあるプロトタイプの折り畳み可能な折り畳みアームを備える、本発明の折り畳み可能で持ち運び可能なディスプレイの一実施形態の一般的な配置の斜視、部分切り取り図である。
【図２】図２は本発明の折り畳み可能で持ち運び可能なディスプレイの一実施形態の、ポップアップした、又は完全に延ばされた動作位置における一般的な配置の背面図である。
【図３】図３は図２の本発明の折り畳み可能で持ち運び可能なディスプレイの実施形態の、完全に折り畳まれた位置における背面図である。
【図４】図４Ａ、Ｂ及びＣは図２の本体及び摺動部材の斜視図、側面図及び上面図である。
【図５】図５は、図４の本体の内部構成要素の部分上面切り取り図である。
【図６】図６Ａ及びＢは、図２の摺動部材の斜視図及び上面図である。
【図７】図７Ａ及びＢはプロトタイプの折り畳みアームのうち１本の本発明の一実施形態の本体及び摺動部材への取り付けを示す。
【図８】図８は図７のプロトタイプの折り畳みアームのうち一本の、部分的に延ばされた動作位置における詳細及び構成を示す。
【図９】図９は図７のプロトタイプの折り畳みアームのうち一本の、アームの一部分が完全に延ばされた動作位置にある場合の詳細及び構成を示す。
【図１０】図１０はプロトタイプの折り畳みアームのうち一本の詳細及び構成を示す。
【図１１】図１１は本発明の折り畳み可能で持ち運び可能なディスプレイの一実施形態の、完全に延ばされた動作位置における側面図である。
【図１２】図１２Ａ及びＢは、完全に延ばされた動作位置における、そして部分的に折り畳まれた位置における、機器から取り外されたプロトタイプの画面部材を示す。
【図１３】図１３Ａ及びＢは折り畳み可能アームの画面への取り付けを示す。
【図１４】図１４は画面のシュラウドへの取り付けを示す。
【発明を実施するための形態】
【０００７】
本発明は自発的ポップアップディスプレイ（ＳＰＵＤ）機器である。ＳＰＵＤは折り畳み可能なディスプレイ機器であり、機器はコンパクトで持ち運び可能な形で収納でき、使用時はポップアップして大画面を提供する。図１及び２は本発明の折り畳み可能で持ち運び可能なディスプレイの実施形態１００である。
【０００８】
図１を参照すると、ポップアップ後又は完全に延ばされた動作位置における本発明の折り畳み可能で持ち運び可能なディスプレイ１００の一実施形態が示される。
より具体的には、本実施形態１００は完全に延ばされた、又はポップアップしたディスプレイ画面１１０及び、画面の角に取り付けられ、また本体部１３０の対応する位置にも取り付けられた、４本の折り畳み可能アーム１２２、１２４、１２６、１２８が示される。各アームは本体に二か所の取付場所を持つ。各アームの回転可能な取り付けのうち一方は本体１３０の固定式非可動部に対して行われ、各アームの他方の回転可能な取り付けは、本明細書内にて後により詳細に説明される本体又は筐体の周囲に配置された可動式摺動部材（movable sliding member）１４０に対して行われる。各アームには、本明細書内にて後により詳細に説明される、アームと画面を折り畳むことを可能にする二つの関節を持つ。しかしながら、各アームは二つより多い関節、又は二つより少ない関節を持ち得る。
【０００９】
図２を参照すれば、ポップアップ後又は完全に延ばされた動作位置における折り畳み可能で持ち運び可能なディスプレイ機器の一実施形態の一般的な配置の後方斜視図が示される。より具体的には、本実施形態１００は完全に延ばされたポップアップ後のディスプレイ画面（本図では不可視であるが図１参照）、及び画面の角に取り付けられた４本の折り畳み可能アーム（うち２本は１２６、１２８の番号が振られ本図では不可視であるが図１に示され得る）を持ち、各アームは本体部１３０の対応する位置にも取り付けられている。
【００１０】
シュラウド１５０も示され得る。シュラウド１５０は折り畳み可能な折り畳みアーム、画面、及び画面の４つの角に取り付けられた４本のアームによって張り渡される完全な台形の体積を内包する。シュラウド１５０を使用する任意の実施形態において折り畳み可能で持ち運び可能なディスプレイは、背面がシュラウドで覆われているため、背面投影型の機器であることが要求される。シュラウド１５０はポリエステル布又は任意の他の適切な布又は曲げやすく柔らかい材料であってもよく、また環境光を吸収する暗い色であることが好ましい。画面上の画像のコントラストを向上させるために外部からの光を遮断し、本体１３０中に位置するプロジェクタの如何なる光学システムの内部への埃の侵入を止め、他人が背面から画面を見ることを防ぐ。
【００１１】
折り畳み可能アームは本体１３０に対する回転可能な取付場所を２か所持つ。各アームの第一の回転可能な取り付けは本体１３０の固定された非可動部に対して行われる。各アームの第二の回転可能な取り付けは、本明細書にて後により詳細に説明される、本体１３０（又は筐体）上又は周囲に配置された、可動式の摺動部材１４０に対して行われる。試作である本実施形態において各折り畳み可能アームは、本明細書内にて後により詳細に説明される、アームと画面を折り畳むことを可能にする二つの関節を持つ。しかしながら、前述のように、各アームは二つより多い関節、又は二つより少ない関節を持ち得る。完全に折り畳まれた位置においてディスプレイ機器全体を囲い込む保護カバー１６０もまた示される。
【００１２】
図３を参照すれば、完全に折り畳まれた位置における図２の本発明の折り畳み可能で持ち運び可能なディスプレイ１００の背面図が示される。より具体的には、本実施形態１００は本体１３０が示されるディスプレイ機器を完全に囲い込む保護カバー１６０を持つことが示される。電源１３４ａ及び表示する画像を表すＨＤＭＩ（登録商標）電子信号１３４ｂを供給するための電気的接続用開口部、及びＵＳＢポート１３４ｃもまた示され得る。
【００１３】
引き続き図１を参照し、摺動部材１４０は筐体１３０の外側に配置され、本体１３０に回転可能なように互いに接続された折り畳み可能アーム１２２、１２４、１２６、１２８の両端を押すことで、画面をポップアップ済の動作位置に配置するよう完全に延ばすことに使用される。各折り畳み可能アームの第一端は筐体１３０に、固定された回転可能軸を介して接続される。各折り畳み可能アームの第二端は摺動部材１４０の回転可能軸に接続される。最初は機器１００が畳まれた位置にあり、摺動部材１４０が主筐体１３０の後方において機器のハンドル１３８（図４）の近くに位置する。折り畳み可能アームをポップアップするためには、摺動部材１４０は前方へ押される。摺動部材１４０はアームが完全に延ばされた時に自動的に自分自身に掛け金をかける（後方へスライドして戻らないため）。この動作は単純なばね仕掛けの機械的な掛け金部品により成し遂げられる。他の実施形態においては摺動部材１４０を前方に動かして画面１１０をポップアップさせるためにばね（又は他の機械的エネルギー蓄積装置）を用いてもよい。これらの実施形態では機器を収納するために分離されたラッチ機構が使用され、そして摺動部材１４０をスライドさせて画面１１０をポップアップさせるために押され、又は活性化の後解放される。
【００１４】
画面１１０は、画面を支持する延ばされた折り畳み可能アーム１２２、１２４、１２６、１２８を使用して伸張される。折り畳み可能アームは傘のアームに類似している。筐体１３０及び可動部材１４０に接続されたアームの端が、摺動部材１４０を筐体１３０上で前方にスライドさせることで互いに向かって押される時、それらは折り畳まれた状態から開き、延び、画面１１０を伸張させる。アーム１２２、１２４、１２６、１２８の他方の端は長方形の画面１１０の角又は端へ、取り外し可能な方法で接続され、画面を伸張する力を供給する。画面をどの程度伸張するかの要求に応じて、画面１１０をさらに伸張するために追加の折り畳み可能折り畳みアームが四つの角又は端に追加されてもよい。本明細書内で後述されるが、アーム部材に要求される硬性、剛性及び強度を提供するためにこのような二本のアームが追加されてもよい。代わりに、アーム部材は軽量であるが強い鋼又は他の類似した高強度の金属により構成されてもよい。アームは過度の重量となることなく硬性と剛性を提供することが必要である。
【００１５】
画面１１０は外縁（図示せず）に沿って取り外し可能な方法で取り付けられる折り畳み可能な枠組み要素をまた備えていてもよい。枠組みは画面を支持し張力を与え、滑らかな投影面を作り出す。枠組みはまた簡単に小さいサイズへ折り畳むことができる。
【００１６】
背面投影を行うために、画面１１０の材料は通常ビニール又はシリコンを基礎とする半透明な材料であるが、画面の材料として他の似た弾性または可撓性材料を用いてもよい。現在好適なシリコンの画面は、より良い輝度の均質性を得るために、画面の材料に微小な二酸化チタン粒子が添加されている。粒子の屈折率は実際の画面材料の屈折率とは異なること、またより高いことが好ましい。画像の質を向上させるために画面材料と異なる屈折率を持つ他の材料や類似した粒子が用いられてもよいが、現在好適な二酸化チタンの微小粒子は一般的にサイズが１０ミクロンより小さいものである。均質性を向上させるための粒子に加えて、画面材料には、異なる色の粒子、色付きペースト、及び染料等の他の物質が加えられてもよい。これらの物質により画面の質はさらに向上する。例えば、投影された画像のコントラストを高くする目的で画面をグレーにするために色付き粒子を使用してもよい。これらの現在好適な画面材料はプロジェクタからの光を拡散させ、折り畳まれ収納された時に皺を防止し、伸張された状態へと引き伸ばし可能である。画面はまた防塵であり、取り外し可能であり、石鹸で簡単に洗浄可能であり、丈夫である。前面投影のためには、画面の材料は半透明である必要はないが、反射性であり、背面投影画面材料が持つその他の如何なる機能をも持っている。
【００１７】
図４Ａ、Ｂ、及びＣを参照し、各図はそれぞれ、図１及び２のような一実施形態における本体１３０と摺動部材１４０の透視図、側面図、上面図である。本体１３０上での摺動部材１４０の位置は、前方、又は完全に延ばされた動作位置である。双方の部材は折り畳み可能アームと回転可能な接続を行うために端部に取付用拡張部１３２及び１４２を持つ。より具体的には、本体部材１３０は図４Ａにて最良に示されるような４セットの拡張部１３２を持つ。同様に、摺動部材１４０もまた、図４Ａにて最良に示されるように、折り畳み可能アームと回転可能な接続を行うために４セットの拡張部１４２を持つ。各アーム取付用拡張部は３本のフィンガーを持ち、各フィンガーは折り畳み可能アームを回転可能にそれらの取り付け用拡張部に取り付けるためのワイヤー又はロッド状部材を収容するための開口部を持つ。このようにして二本の折り畳み可能アームは並行であるが未だに回転可能に結合され、完全に延ばされた動作位置においてより硬質でありながら軽量であるアームを提供する。このような二本のアームによる構成は本明細書中にて図１０を参照して後述される。
【００１８】
図４Ｃは主部材１３０の背面のハンドル１３８、及び摺動部材１４０の押しボタン又は機械式レリーズ１４６を示す。押しボタンを押すことにより、画面１１０（図３）を完全に折り畳まれた位置へと移動させるために摺動部材１４０を前方へ、主部材１４０のハンドルに向かってスライドさせることが可能になる。
【００１９】
筐体１３０は複数の折り畳みアーム及び外側の摺動部材１４０を搭載することに加えて、広角コンバーターレンズを持つ、又は持たないプロジェクタ、又は他の形の折り畳み可能な画面／ディスプレイを含むよう構成されてもよい。したがって、幾つかの実施形態では、筐体１３０は任意の型の入手可能な小型で軽量のプロジェクタ及び関連するレンズを保持し、折り畳みアーム１２２、１２４、１２６、１２８に対する支持を提供し、摺動部材１４０が筐体１３０の外側をスムーズにスライドすることを可能にしてもよい。幾つかの実施形態では前方へ直接投影し鏡を持つことも使用することもしない任意のプロジェクタを用いてもよいが、別の実施形態においては鏡を使用してもよい。筐体１３０はまたハンドル１３８を機器の最後方に含んでいてもよい。ハンドルにより、個人が摺動部材１４０を前方へ押しながら機器１００を保持すること、また機器が完全に折り畳まれた状態において便利に持ち運ぶことが可能になる。
【００２０】
図５を参照すれば、図４の本体１３０の内部構成要素の部分上面切り取り図が示される。より具体的には、プロジェクタエンジン１９０の操作に必要な電気的構成要素を収容するためのプリント回路基板（ＰＣＢ）１８０が示される。プロジェクタは同様に電子的なフォーマットで提供された画像を人間に理解可能な表示方法で画面１１０に投影する。画面上で画像の焦点を合わせるために、典型的にはプロジェクタエンジンの一部であるレンズ組立体１９２が使用される。本体中ＰＣＢ１８０の下部にはバッテリー（図示せず）も設けられている。バッテリーはその他の電源が入手不可能な場合にプロジェクタを動作させるよう働く。バッテリーは好適にはリチウムイオンバッテリーである。プロジェクタは好適には市場にて市販されているＤＬＰに基づいたプロジェクタエンジン、ＬＣＯＳプロジェクタ、又はレーザーに基づいたプロジェクタである。幾つかの実施形態では、機器は、画面と指の位置を見て画像上におけるそのポインタの位置を判断しコントローラーへその位置を転送することでタッチスクリーンの実施形態を可能にするためにカメラ（図示せず）を用いてもよい。他のタッチスクリーンの実施形態は静電容量式タッチ材料又は同様の材料を画面内、又は画面上にて用いてもよい。
【００２１】
幾つかの実施形態では広角コンバーターレンズ組立体１９４が、本体１３０上にて、機器に用いられたプロジェクタエンジン１９０の前面に操作可能な形で任意に配置される。レンズは本体１３０の主筐体内部のマウンティングを通してプロジェクタに対して固定される。レンズはプロジェクタのスローレシオ（throw ratio,プロジェクタから画面の距離と画面幅の比率）を短縮することができ、その結果、同じ大きさの画面サイズを実現するために、画面をプロジェクタに対してより近い位置に設置することが可能となる。広角レンズによりテーブルの空間が節約される。使用のために展開した時、発射された光線がテーブルの表面により遮断されることを防ぐために、機器１００中のプロジェクタを傾斜させること、又は光線にオフセットを与えることができる。
【００２２】
図６Ａ及びＢを参照すれば、図４の摺動部材１４０の斜視図及び上面図が示される。より具体的には、摺動部材１４０は、図６Ａにて最良に示されるように、折り畳み可能アームと回転可能な接続を行うために４セットの拡張部１４２を持つ。図６Ｂは、好ましくは主部材１３０に据付けられるが代替として部材１４０上に配置されてもよい、可動部材内の押しボタン１４６のための開口部を示す。この押しボタンは、摺動部材（sliding member）１４０が本体１３０の後方へ移動された時に、アームと画面を折り畳み済の収納動作位置へ移動させるために、摺動部材１４０を前方の動作位置から機械的に開放する。
【００２３】
図７Ａ及びＢを参照すれば、本体１３０と摺動部材１４０に対してプロトタイプのアームのうち一本である１２６が、本体と摺動部材の両方に対して回転可能に取り付けられている様子が示される。図７Ａは本体１３０と、折り畳み可能アーム１２６を完全に延ばすために、前方の完全に延ばされた動作位置における摺動部材１４０が示される。図７Ｂは本体の取付用拡張部材１３２とサイディング部材（siding member）の取付用拡張部材１４２と折り畳み可能な折り畳みアーム１２６部材の動作可能な端部の間の回転可能な接続をさらに説明することを目的とした図７Ａの一部分の拡大図である。
【００２４】
図７Ａ及びＢを引き続き参照すれば、固定された筐体１３０と可動部材１４０への、折り畳み可能な折り畳みアームのうち一本の一部分の取り付けの詳細が示される。アームの短い支柱の機器の摺動部材１４０への取り付け、アームの長い支柱の本体１３０の固定部材への取り付けが示される。図７に示され得るが、各支柱はそれぞれ取付用拡張部に回転可能に各アームの開口部を使用して接続され、そして本体又は可動部材の取付用拡張部の各アーム用の開口部に保持される各アームはアームの各支柱の開口部と、それぞれがワイヤー部材１３２ａと１４２ａをそれぞれ収容することを目的とする本体１３０の取付用拡張部１３２の開口部又は可動部材１４０の取付用拡張部１４２の開口部を通るワイヤー部材又はロッド１３２ａ、１４２ａにより、その場において回転可能なように保持される。
【００２５】
図８を参照すれば、部分的に延ばされた位置にある代表された一本の折り畳み可能折り畳みアーム１２８の詳細と構成が示される。図８には、図７のプロトタイプの折り畳みアーム１２２、１２４、１２６又は１２８のうちの一本の、部分的に延ばされた動作位置における展開図が示される。再度、図７に示されるように、各アームは本明細書にて後述されるような２つの取付場所を持つ。
【００２６】
各アームの第一の取り付けは、図７に示される本体１３０の固定された非可動取付用拡張部１３２へ回転可能に取り付けられた長い第一の支柱１２８ａに対して行われる。各アームの第二の回転可能な取り付けは、第一の支柱１２８ｂの約半分の位置へ第一の支柱１２８ａに回転可能に接続され、可動式の摺動部材１４０へも本明細書中にて図７を参照してより詳細に説明済みの取付用拡張部１４２に回転可能に接続された短い第二の支柱１２８ｂに対して行われる。短い第二の支柱１２８ｂには、ピボットポイント１２８ｘにて回転可能に接続され、また一つのほぼ端にあるピボットポイント１２８ｔにて第一の支柱１２８ａに回転可能に接続され、また同じ端にてしかしピボットポイント１２８ｚにて第三の支柱１２０ｃに回転可能に接続された第四の支柱１２８ｄにも接続される、第三の支柱１２０ｃが接続される。
【００２７】
引き続き図８を参照し、各アームは第四の支柱１２８ｄにピボットポイント１２８ｇにて回転可能に接続され、回転点１２８ｇより先に少し延長された第五の支柱１２８ｆもまた持つ。第五の支柱１２８ｆは他端にて画面１１０（図示せず）へ、画面の一つの角又は端へ取り外し可能な方法で接続される。第五の支柱１２８ｆはまた、延長部、又は画面ではない端にて、スプリング１２８ｅへピボットポイント１２８ｐにて取り付けられる。スプリング１２８ｅはまた、第五の支柱１２８ｆへの接続からある距離だけ下がった位置にて第四の支柱１２８ｄへ接続される。スプリングが接続される距離はスプリングに張力をかけない状態における長さに依存するが、第五の支柱への接続点から全体の長さの約３分の１下がった位置として図示されている。スプリングの代わりに、輪ゴム、空気圧ピストン、又は他の機器を非限定例とするような他の機械的エネルギー蓄積装置を用いてもよい。本発明の幾つかの実施形態では、これらの各アームは本発明の教示に従って修正された、また本明細書中にて図７、８及び９を参照してより充分に議論された、Ｐａｒａｄｉｓｅ  Ｕｍｂｒｅｌｌａ（中国）が製造する市販の傘の内部にあるような実際の傘のアームであることが好ましい。
【００２８】
各アーム１２２、１２４、１２６、及び１２８は本体の角及び摺動部材に取付用拡張部を使用して取り付けられ、また画面１１０にて対応する角又は端へ取り付けられる。これらの傘のアームは摺動部材１４０へ取り付けられる支柱を短くすることにより修正される。短縮された支柱により、折り畳み可能アームを、本体１３０の横の方向よりは前の方向へ本体１３０の主軸（画面からハンドルへ）へおおよそ並行に展開することが可能になる。そして傘の各アームのうち何本かの支柱は取り外されスプリング部材により取り外される。
【００２９】
支柱１２８ａ及び１２８ｂは好ましくはＵ字型であり、完全に折り畳まれた時に他の支柱部材をＵ字の中に入れ子式に収めることが可能である。第三の支柱１２８ｃは好ましくは円形のワイヤー部材又はロッドであり、折り畳まれた動作位置にある時に第一及び第二の支柱のＵ字型の部分へ格納することができる。同様に、第四の支柱１２８ｄは円形のワイヤー部材又はロッドであり第五の支柱１２８ｆは円形のワイヤー部材又はロッドであってもよい。支柱１２８ａ、１２８ｄ及び１２８ｆの長さにより、画面がポップアップした時、又は完全に延ばされた動作位置へ展開された時の画面から本体１３０内に用いられる任意のプロジェクタへの距離が決定される。代わりに、本体１３０の長さが各アーム中の支柱の長さを決定し、画面サイズが各アーム内に用いられる支柱の数を決定してもよい。例えば、３つの支柱の区分に代えて４つを用いれば、画面へのより大きい距離及び／又はより大きい画面を提供できる。同様の方法で、２つの区分のみを用いてもよい。
【００３０】
引き続き図８を参照すれば、部分展開位置にある代表された一本の図７のプロトタイプの折り畳みアームの詳細と構成が示される。実際の傘の如何なるアームへ、第５の支柱１２８ｆへの接続点からある距離だけ下った位置における、スプリング１２８ｅを追加し第４の支柱１２８ｄへ接続し、他の如何なる余分な支柱があれば取り除くことにより、追加の変更（１２８ｂに加えて）を行う。スプリングが接続される距離はスプリングに張力をかけない状態における長さに依存するが、図示されたスプリングの長さに対しては、第五の支柱への接続から長さの約３分の１下った位置として図示されている。如何なる実際の傘のアームにおいても、スプリング１２８ｅは第五の支柱１２８ｆへ画面とは反対側の端へ取り付けられる。
【００３１】
図９を参照すれば、完全に延ばされた動作位置における折り畳み可能アームの一部分が示される。より具体的には、スプリング１２８ｅが短く、張力をかけない状態へ戻った結果第五の支柱１２８ｆが完全に延ばされた動作位置にあること、また第４の支柱部材１２８ｄと一直線になるように回転位置１２８ｇを中心に支柱１２８ｆを回転する動作が示される。第１の支柱１２８ａは第二の支柱１２８ｂへ、ピボットポイント１２８ｙにて回転可能に接続される。完全に延ばされた時、画面のサイズと弾力を原因として画面がアームによる張力に逆らうため、アームの支柱は曲げられるか、又は少し湾曲する。このようにして、その他の残りの支柱部材が完全に延ばされた動作位置にある時（図１及び２に示すように）、支柱は全て延ばされ画面１１０はポップアップ又は完全に展開し、動作位置にて伸張される。
【００３２】
４本のアームの前述の説明では各アームが単一の支柱から成るように扱われたが、本好適な実施形態において、各アームは図４及びアームの取付用拡張部１３２と１４２の説明にて述べられたように２セットの並行な支柱から成ることが好ましい。
【００３３】
図１０を参照すれば、２セットの並行な支柱アームの詳細が示される。より具体的には、２本のアームは部材１２９ａと１２９ｂにより間隔が空けられ、ある型のテープを非限定例とする軽量で強い材料により接続され接合されている。スプリング部材１２８ｅへ支柱１２８ｆと１２８ｄを取り付けることもまた明示される。同様に、支柱１２８ａと１２８ｂ上に、取付用拡張部へ接続するための開口部が明示される。同じ回転位置を提供するために、アームの回転位置（図８のピボットポイント１２８ｇ、１２８ｐ）として働くリベット２００と２０１は取り外し、２本のアームのリベットが入っていた開口部に単一のロッドを通してもよい。
【００３４】
図１１を参照すれば、図１及び２の機器１００のプロトタイプ例が示される。画面１１０、シュラウド１５０及び本体１３０が明示される。画面への折り畳み可能なアームの取り付けもまた示される。
【００３５】
図１２Ａ及びＢを参照すれば、延ばされ伸張されたポップアップ済又は動作位置における、そして折り畳まれた位置における、図１及び２の機器１００画面１１０のプロトタイプ例がそれぞれ示され得る。
画面１１０は好ましくは図示されるように長方形のフォームファクタ（form factor,形状因子）にあるが、正方形を非限定例とする他のフォームファクタを用いてもよい。本例において、画面及び画面の端の周囲のスカート部材が示される。しかしながら、スカートの使用は任意である。使用する場合は、スカートは、シュラウドに取り付けるためにシュラウドの最も外側の端にベルクロ（登録商標）（面ファスナー）を付けた布から成る。図１２Ａに示されるように、画面１１０はポップアップ時に画面に皺が寄るのを防ぐ為に凹状の縁（concave edges）を持つ。
【００３６】
図１３Ａ及びＢを参照し、画面１１０のプロトタイプ例、及び画面の前面と背面それぞれへの折り畳み可能アームの端部への取り付けが示される。画面又はスカートには、アーム用の開口部を持つアンカー部材１３００が取り付けられている。これらのアンカー部材は展開及び伸張による力を拡散させてアームの接続点にて画面が裂けることを防ぐ好ましくはプラスチック製の札であり、画面に強い接着剤で取り付けられている。画面は折り畳まれた状態へと、きちんと畳まれる。しかしながら、画面１１０は折り畳まれた位置において折り畳み済のシュラウドと共に支柱１２８ｆをグリップするために使用され、それによりユーザーは支柱１２８ｆを折り返して支柱１２８ｄの残りの部分の上に重ねることができ、機器が完全に折り畳まれた動作位置に配される時はスプリング部材１２８ｅを伸張させる。保護カバー１６０は画面の周囲に、そして折り畳み可能アームは折り畳み済の動作位置へ固定される。
【００３７】
図１４を参照すれば、シュラウド部材１５０への取り付けを示した、完全に延ばされたポップアップ済の、又は動作位置における画面１１０のプロトタイプ例が示される。図１４に示される実施形態において画面はシュラウドへ縫い付けられている。前述のように、画面をシュラウドへ取り付けるためにベルクロ（登録商標）又は他の類似した材料を用いてもよい。
【００３８】
本明細書内にて図示され説明される実施形態はアームに３つの支柱の区分を用いているが、アームはこの数の支柱の区分よりも多い、又は少ない数を用いてもよい。より大きい画面サイズが必要であれば、４つ以上の区分、又は、必要時に最後の支柱区分を延ばすことができ、アームを折り畳んだ時にはアーム支柱内へ畳めるように伸縮アームから成る区分を最終の区分として用いてもよい。より小さい画面サイズが望まれる時は、２つのみの支柱区分が用いられてもよい。支柱区分の数は本体のサイズ及び画面のサイズに従って選択されてもよい。本体の長さにより支柱の長さを決定し、画面サイズにより必要な支柱区分の数を決定してもよい。加えて、プロジェクタエンジンのサイズ、バッテリーサイズ、用いられている光学系のサイズ、及びＰＣＢのサイズを考慮することにより本体サイズへの影響が起こる。そして幾つかの場合には摺動部材が本体上を移動する必要距離が本体サイズに影響を与える。
【００３９】
したがって、本好適実施形態は、筐体部材と、前記筐体の外側の周囲に配置され前記筐体の二つの動作位置の間を移動可能な可動部材と、画面部材と、それぞれが前記本体の筐体へ回転可能に取り付けられた第一の支柱を持つ複数の支柱に分かれたアーム部材と、前記第一の支柱へ前記第一の支柱の約半分の位置へ回転可能に接続され、前記可動部材へ回転可能に接続された第二の支柱と、前記第二の支柱へ回転可能に接続された第三の支柱と、前記第三の支柱へ一端が回転可能に取り付けられ、前記第三の支柱への回転可能な接続から間隔を空けて前記第一の支柱へ回転可能に取り付けられ、反対側の端が第五の支柱へ回転可能に接続された第四の支柱とを含み、前記第五の支柱は前記画面の一つの角へ接続され、前記第五の支柱は、前記第五及び第四の回転可能な接続から間隔を空けた位置において前記第四の部材へ回転可能に接続されたスプリング部材へ接続され、前記筐体に接続された、そして前記画面部材に取り外し可能に接続されたシュラウド部材とを含む、折り畳み可能で持ち運び可能なディスプレイ機器である。
【００４０】
現在提示される本好適な実施形態において本体は幅４と３分の１インチ（約１１．０センチメートル）、長さ７と２分の１インチ（約１９．０５センチメートル）、厚さ２と１０分の１インチ（約５．３３センチメートル）であり、電池としては約７ボルトを得るために直列接続された２個のリチウムイオン電池を用いる。本実施形態にてアームの最も長い支柱は約１５０ミリメートルである。
【００４１】
本発明は上述の実施形態を参照して説明されたが、本発明は必ずしもこれらの実施形態に限定されない。
したがって、本明細書内にて説明されないその他の実施形態、変種、改良は本発明の範囲から除外されない。このような変種は新しい画面材料、新しい画面の粒子材料、新しいレンズ及び／又は鏡、及び新しいプロジェクタを限定せず含む。
【００４２】
本発明及びその利点が詳細に説明されたが、様々な変更、置き換え、修正が添付した特許請求の範囲により定義される本発明の精神と要旨から逸脱することなく行われてもよい。
【図１】
2018534636.tif 000003
【図２】
2018534636.tif 000004
【図３】
2018534636.tif 000005
【図４Ａ】
2018534636.tif 000006
【図４Ｂ】
2018534636.tif 000007
【図４Ｃ】
2018534636.tif 000008
【図５】
2018534636.tif 000009
【図６Ａ】
2018534636.tif 000010
【図６Ｂ】
2018534636.tif 000011
【図７】
2018534636.tif 000012
【図８】
2018534636.tif 000013
【図９】
2018534636.tif 000014
【図１０】
2018534636.tif 000015
【図１１】
2018534636.tif 000016
【図１２Ａ】
2018534636.tif 000017
【図１２Ｂ】
2018534636.tif 000018
【図１３Ａ】
2018534636.tif 000019
【図１３Ｂ】
2018534636.tif 000020
【図１４】
2018534636.tif 000021
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
筐体部材であって、前記筐体の外側に整列され前記筐体部材の前記外側を二つの動作位置の間においてスライドする摺動部材を持つ、筐体部材と、
拡張されポップアップされた動作位置にあるときに画像を表示することが可能な折り畳み可能な画面と、
部分的な部材を拡張するための機械的エネルギー蓄積機構を含み、前記画面に接続され、前記摺動部材及び前記筐体部材の両方に回転可能に接続され、そして前記筐体部材の前記外側をスライドすることによって前記摺動部材が折り畳み済画面用の第一の位置とポップアップ済画面用の第二の位置の間をスライド可能に動くように前記画面を折り畳まれた位置と拡張されたポップアップ位置との間を動かすための複数の折り畳み可能部材と
を含む、改良された折り畳み可能で持ち運び可能なディスプレイ機器。
【請求項２】
前記画面を前記ポップアップ位置へ伸張するために前記画面の端に組み込まれた折り畳み可能な枠組み部材をさらに含む、請求項１に記載の機器。
【請求項３】
前記画面は折り畳まれた状態にあるとき、前記筐体及び前記折り畳み可能部材を内包する、請求項１に記載の機器。
【請求項４】
前記筐体は持ち運び可能なプロジェクタを収容するための開口部をさらに含む、請求項１に記載の機器。
【請求項５】
前記画面と前記筐体に接続し、前記画面が拡張済の動作位置にあるときに外部からの光を前記画面から遮るためのシュラウドを更に含む、請求項１に記載の機器。
【請求項６】
筐体部材であって、前記筐体の外側に整列され前記筐体部材の前記外側を二つの動作位置の間においてスライドする摺動部材を持つ、筐体部材と、
拡張されポップアップされた動作位置にあるときに画像を表示することが可能な折り畳み可能な画面と、
機械的エネルギー蓄積機構又は部分的な部材の展開を含み、前記画面に接続され、前記摺動部材及び前記筐体部材の両方へ回転可能に接続され、前記摺動部材が前記筐体の外側に沿ってスライドすることにより折り畳み済画面のための第一の位置とポップアップ済画面のための第二の位置との間をスライド可能なように動くことによって前記画面を折り畳まれた位置と拡張されたポップアップ位置との間で動かすためのものであり、前記各折り畳み可能部材は前記筐体上の前記摺動部材の位置の機能として折り畳み延ばすための互いに接続された複数の支柱を含み、各支柱の一部分は機械的収納機構により延ばされた位置に配される、複数の折り畳み可能部材とを含む、
改良された折り畳み可能で持ち運び可能なディスプレイ機器。
【請求項７】
前記折り畳み可能画面を取り外すことができる、請求項１に記載の機器。
【請求項８】
筐体部材と、
レンズ組立体を持ち、前記筐体部材内に動作可能なように配置され、第二のレンズ組立体が前記筐体部材内に動作可能なように配置され、エレクトロニクス・アセンブリが前記筐体内に配置されるプロジェクタ部材と、
前記筐体の外側の周囲に配置され前記筐体部材の外側の二つの位置の間を移動可能である可動部材と、
半透明の画面部材と、
それぞれが前記画面部材を折り畳まれた位置と延ばされた動作位置の間で動かすための少なくとも二つの主支柱部材を持つ、区分に分かれた少なくとも４つのアーム部材と、
前記筐体に回転可能に接続された前記各４本のアーム部材の各第一の主支柱と、
対応する第一の支柱へ回転可能に接続され前記可動部材へ回転可能に接続された各４本のアーム部材の各第二の短い主支柱と、
機械的収納部材により展開され前記画面部材に接続された最終の主支柱部材を持つ各アーム部材と、
前記筐体及び前記画面部材に接続されたシュラウド部材とを含む、折り畳み可能なディスプレイ機器。
【請求項９】
前記機器が折り畳み動作位置にあるときに前記機器の全ての部材を収容する保護カバー部材をさらに含む、請求項８に記載の機器。
【請求項１０】
筐体部材と、
前記筐体の外側の周囲に配置され前記筐体部材の外側の二つの動作位置の間を移動可能な可動部材と、
第一の動作位置にあるとき、画像を表示するための折り畳み可能画面部材を展開するための区分に分かれた複数のアーム部材を含み、各アーム部材は
前記本体の筐体へ回転可能に取り付けられた第一の支柱と、
前記第一の支柱へ前記第一の支柱の約半分の位置へ回転可能に接続され、前記可動部材へ回転可能に接続された第二の支柱と、
前記第二の支柱へ回転可能に接続された第三の支柱と、
前記第三の支柱へ一端が回転可能に接続され、前記第三の支柱への回転可能な接続から間隔を空けて前記第一の支柱へ回転可能に接続され、反対側の端が第五の支柱へ回転可能に接続された第四の支柱と、
前記第五の支柱は前記第四の支柱への前記接続と反対の端が折り畳み可能な画面部材の一つの角へ取り外し可能に接続され、前記第五の支柱は前記第四の支柱へ、前記第五と第四の支柱への回転可能な接続から間隔を空けた位置において回転可能に接続されたスプリング部材へ接続され、
画像の明瞭な表示に適し、前記第五の支柱により前記第一の動作位置にて表示のために適切に伸張されたときに皺を和らげ、また可撓性シリコン又はゴム引き材料を含む前記折り畳み可能な画面部材と、
前記筐体に接続され、そして前記画面部材に取り外し可能に接続されたシュラウド部材とを含む、折り畳み可能で持ち運び可能なディスプレイ機器。
【請求項１１】
前記機器が折り畳み動作位置にあるときに前記機器の全ての部材を収容する保護カバー部材をさらに含む、請求項１０に記載の機器。
【請求項１２】
前記筐体部材はレンズ組立体を含むプロジェクタ部材を収容するための開口部を有する、請求項１０に記載の機器。
【請求項１３】
前記可動部材は、ラッチ機構によって解放されたときに前記画面部材を完全に延ばされた動作位置へ展開するように荷重がかけられたスプリングである、請求項１に記載の機器。
【請求項１４】
前記筐体部材は広角コンバーターレンズを収容するよう構成された、請求項１２に記載の機器。
【請求項１５】
前記画面部材はタッチスクリーンになるよう構成された、請求項１に記載の機器。
【請求項１６】
前記画面部材は弾性または可撓性シリコン又はゴム引き材料から成る、請求項１に記載の機器。
【請求項１７】
前記画面部材は弾性または可撓性シリコン又はゴム引き材料から成り、適切に伸張されたときに凹状の縁を持つ、請求項１に記載の機器。
【請求項１８】
前記画面部材はさらに色付き粒子、色付きペースト又は染料のうち一つ以上を含む、請求項１０に記載の機器。
【請求項１９】
画像を明瞭に表示し適切に伸張されたときに皺を和らげることに適した弾性または可撓性シリコン又はゴム引き材料を含む、プロジェクタと共に使用するための持ち運び可能であり折り畳み可能な画面。
【請求項２０】
前記画面は適切に伸張されるように展開されたときに前記画面は凹状の縁を持つ、請求項１９に記載の持ち運び可能であり折り畳み可能な画面。
【請求項２１】
画像のコントラストと明瞭さを向上させるために前記粒子は前記画面材料の屈折率と異なる屈折率を持つ、請求項２６に記載の持ち運び可能であり折り畳み可能な画面。
【請求項２２】
画像のコントラストと明瞭さを向上させるために前記画面はさらに色付き粒子、色付きペースト又は染料のうち一つ以上を含む、請求項１９に記載の持ち運び可能であり折り畳み可能な画面。
【請求項２３】
筐体部材であって、前記筐体の外側に整列され前記筐体部材の前記外側を二つの動作位置の間においてスライドするための摺動部材を持つ、筐体部材と、
延ばされた動作位置にあるときに画像を表示するための折り畳み可能な画面と、
複数の折り畳み可能部材であって、それぞれが当該部材の一部分の部分的拡張のための機械的エネルギー蓄積機構を含み、前記画面に接続され、前記筐体部材の前記外側における前記摺動部材の位置の機能として前記画面を折り畳まれた位置とポップアップ位置との間で動かすために前記摺動部材と前記筐体部材の両方に動作可能に接続された、複数の折り畳み可能部材と
を含む、改良された折り畳み可能であり持ち運び可能なディスプレイ機器。
【請求項２４】
前記画面部材はさらに色付き粒子、色付きペースト又は染料のうち一つ以上を含む、請求項１６に記載の機器。
【請求項２５】
前記画面部材はさらに色付き粒子、色付きペースト又は染料のうち一つ以上を含む、請求項１７に記載の機器。
【手続補正書】
【提出日】平成29年8月13日(2017.8.13)
【手続補正１】
【補正対象書類名】特許請求の範囲
【補正対象項目名】全文
【補正方法】変更
【補正の内容】
【特許請求の範囲】
【請求項１】
筐体部材であって、前記筐体の外側に整列され前記筐体部材の前記外側を二つの動作位置の間においてスライドする摺動部材を持つ、筐体部材と、
拡張されポップアップされた動作位置にあるときに画像を表示することが可能な折り畳み可能な画面と、
部分的な部材を拡張するための機械的エネルギー蓄積機構を含み、前記画面に接続され、前記摺動部材及び前記筐体部材の両方に回転可能に接続され、そして前記筐体部材の前記外側をスライドすることによって前記摺動部材が折り畳み済画面用の第一の位置とポップアップ済画面用の第二の位置の間をスライド可能に動くように前記画面を折り畳まれた位置と拡張されたポップアップ位置との間を動かすための複数の折り畳み可能部材と
を含む、改良された折り畳み可能で持ち運び可能なディスプレイ機器。
【請求項２】
前記画面を前記ポップアップ位置へ伸張するために前記画面の端に組み込まれた折り畳み可能な枠組み部材をさらに含む、請求項１に記載の機器。
【請求項３】
前記画面は折り畳まれた状態にあるとき、前記筐体及び前記折り畳み可能部材を内包する、請求項１に記載の機器。
【請求項４】
前記筐体は持ち運び可能なプロジェクタを収容するための開口部をさらに含む、請求項１に記載の機器。
【請求項５】
前記画面と前記筐体に接続し、前記画面が拡張済の動作位置にあるときに外部からの光を前記画面から遮るためのシュラウドを更に含む、請求項１に記載の機器。
【請求項６】
筐体部材であって、前記筐体の外側に整列され前記筐体部材の前記外側を二つの動作位置の間においてスライドする摺動部材を持つ、筐体部材と、
拡張されポップアップされた動作位置にあるときに画像を表示することが可能な折り畳み可能な画面と、
機械的エネルギー蓄積機構又は部分的な部材の展開を含み、前記画面に接続され、前記摺動部材及び前記筐体部材の両方へ回転可能に接続され、前記摺動部材が前記筐体の外側に沿ってスライドすることにより折り畳み済画面のための第一の位置とポップアップ済画面のための第二の位置との間をスライド可能なように動くことによって前記画面を折り畳まれた位置と拡張されたポップアップ位置との間で動かすためのものであり、前記各折り畳み可能部材は前記筐体上の前記摺動部材の位置の機能として折り畳み延ばすための互いに接続された複数の支柱を含み、各支柱の一部分は機械的収納機構により延ばされた位置に配される、複数の折り畳み可能部材とを含む、
改良された折り畳み可能で持ち運び可能なディスプレイ機器。
【請求項７】
前記折り畳み可能画面を取り外すことができる、請求項１に記載の機器。
【請求項８】
筐体部材と、
レンズ組立体を持ち、前記筐体部材内に動作可能なように配置され、第二のレンズ組立体が前記筐体部材内に動作可能なように配置され、エレクトロニクス・アセンブリが前記筐体内に配置されるプロジェクタ部材と、
前記筐体の外側の周囲に配置され前記筐体部材の外側の二つの位置の間を移動可能である可動部材と、
半透明の画面部材と、
それぞれが前記画面部材を折り畳まれた位置と延ばされた動作位置の間で動かすための少なくとも二つの主支柱部材を持つ、区分に分かれた少なくとも４つのアーム部材と、
前記筐体に回転可能に接続された前記各４本のアーム部材の各第一の主支柱と、
対応する第一の支柱へ回転可能に接続され前記可動部材へ回転可能に接続された各４本のアーム部材の各第二の短い主支柱と、
機械的収納部材により展開され前記画面部材に接続された最終の主支柱部材を持つ各アーム部材と、
前記筐体及び前記画面部材に接続されたシュラウド部材とを含む、折り畳み可能なディスプレイ機器。
【請求項９】
前記機器が折り畳み動作位置にあるときに前記機器の全ての部材を収容する保護カバー部材をさらに含む、請求項８に記載の機器。
【請求項１０】
筐体部材と、
前記筐体の外側の周囲に配置され前記筐体部材の外側の二つの動作位置の間を移動可能な可動部材と、
第一の動作位置にあるとき、画像を表示するための折り畳み可能画面部材を展開するための区分に分かれた複数のアーム部材を含み、各アーム部材は
前記本体の筐体へ回転可能に取り付けられた第一の支柱と、
前記第一の支柱へ前記第一の支柱の約半分の位置へ回転可能に接続され、前記可動部材へ回転可能に接続された第二の支柱と、
前記第二の支柱へ回転可能に接続された第三の支柱と、
前記第三の支柱へ一端が回転可能に接続され、前記第三の支柱への回転可能な接続から間隔を空けて前記第一の支柱へ回転可能に接続され、反対側の端が第五の支柱へ回転可能に接続された第四の支柱と、
前記第五の支柱は前記第四の支柱への前記接続と反対の端が折り畳み可能な画面部材の一つの角へ取り外し可能に接続され、前記第五の支柱は前記第四の支柱へ、前記第五と第四の支柱への回転可能な接続から間隔を空けた位置において回転可能に接続されたスプリング部材へ接続され、
画像の明瞭な表示に適し、前記第五の支柱により前記第一の動作位置にて表示のために適切に伸張されたときに皺を和らげ、また可撓性シリコン又はゴム引き材料を含む前記折り畳み可能な画面部材と、
前記筐体に接続され、そして前記画面部材に取り外し可能に接続されたシュラウド部材とを含む、折り畳み可能で持ち運び可能なディスプレイ機器。
【請求項１１】
前記機器が折り畳み動作位置にあるときに前記機器の全ての部材を収容する保護カバー部材をさらに含む、請求項１０に記載の機器。
【請求項１２】
前記筐体部材はレンズ組立体を含むプロジェクタ部材を収容するための開口部を有する、請求項１０に記載の機器。
【請求項１３】
前記可動部材は、ラッチ機構によって解放されたときに前記画面部材を完全に延ばされた動作位置へ展開するように荷重がかけられたスプリングである、請求項１に記載の機器。
【請求項１４】
前記筐体部材は広角コンバーターレンズを収容するよう構成された、請求項１２に記載の機器。
【請求項１５】
前記画面部材はタッチスクリーンになるよう構成された、請求項１に記載の機器。
【請求項１６】
前記画面部材は弾性または可撓性シリコン又はゴム引き材料から成る、請求項１に記載の機器。
【請求項１７】
前記画面部材は弾性または可撓性シリコン又はゴム引き材料から成り、適切に伸張されたときに凹状の縁を持つ、請求項１に記載の機器。
【請求項１８】
前記画面部材はさらに色付き粒子、色付きペースト又は染料のうち一つ以上を含む、請求項１０に記載の機器。
【請求項１９】
画像を明瞭に表示し適切に伸張されたときに皺を和らげることに適した弾性または可撓性シリコン又はゴム引き材料を含む、プロジェクタと共に使用するための持ち運び可能であり折り畳み可能な画面。
【請求項２０】
前記画面は適切に伸張されるように展開されたときに前記画面は凹状の縁を持つ、請求項１９に記載の持ち運び可能であり折り畳み可能な画面。
【請求項２１】
画像のコントラストと明瞭さを向上させるために前記粒子は前記画面材料の屈折率と異なる屈折率を持つ、請求項２６に記載の持ち運び可能であり折り畳み可能な画面。
【請求項２２】
画像のコントラストと明瞭さを向上させるために前記画面はさらに色付き粒子、色付きペースト又は染料のうち一つ以上を含む、請求項１９に記載の持ち運び可能であり折り畳み可能な画面。
【請求項２３】
筐体部材であって、前記筐体の外側に整列され前記筐体部材の前記外側を二つの動作位置の間においてスライドするための摺動部材を持つ、筐体部材と、
延ばされた動作位置にあるときに画像を表示するための折り畳み可能な画面と、
複数の折り畳み可能部材であって、それぞれが当該部材の一部分の部分的拡張のための機械的エネルギー蓄積機構を含み、前記画面に接続され、前記筐体部材の前記外側における前記摺動部材の位置の機能として前記画面を折り畳まれた位置とポップアップ位置との間で動かすために前記摺動部材と前記筐体部材の両方に動作可能に接続された、複数の折り畳み可能部材と
を含む、改良された折り畳み可能であり持ち運び可能なディスプレイ機器。
【請求項２４】
前記画面部材はさらに色付き粒子、色付きペースト又は染料のうち一つ以上を含む、請求項１６に記載の機器。
【請求項２５】
前記画面部材はさらに色付き粒子、色付きペースト又は染料のうち一つ以上を含む、請求項１７に記載の機器。
【請求項２６】
前記弾性または可撓性シリコン又はゴム引き材料は組み込まれた粒子を含む、請求項１９に記載の持ち運び可能であり折り畳み可能な画面。
【請求項２７】
前記折り畳み可能な画面部材は組み込まれた粒子を含む、請求項１０に記載の機器。
【国際調査報告】
2018534636.tif 000022
2018534636.tif 000023
2018534636.tif 000024